【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
ネットワークに接続されたネットワーク周辺デバイスにサービスを提供させるための通信方法であって、
前記ネットワーク周辺デバイスにサービス情報を要求するための第一のパケットを、前記ネットワークを介して情報処理装置から前記ネットワーク周辺デバイスへ送る第一の送信ステップと、
前記ネットワークを介して前記ネットワーク周辺デバイスから前記情報処理装置へ送られてくる、要求したサービス情報を含む第二のパケットを受信する受信ステップと、
サービス機能の実行指示を含む第三のパケットを、前記ネットワークを介して前記情報処理装置から前記ネットワーク周辺デバイスへ送る第二の送信ステップとを有することを特徴とする通信方法。
【請求項２】
前記ネットワーク周辺デバイスには複写機が含まれることを特徴とする請求項1に記載された通信方法。
【請求項３】
前記サービス機能にはワイヤクリーニングまたは診断機能が含まれることを特徴とする請求項2に記載された通信方法。
【請求項４】
さらに、前記ネットワークを介して前記ネットワーク周辺デバイスから前記情報処理装置へ送られる、前記サービス機能の実行により作成されたサービス機能データに対応する第四のパケットを受信するステップを有することを特徴とする請求項1に記載された通信方法。
【請求項５】
前記第二のパケットは、前記サービス情報を含むHTMLファイルを含むことを特徴とする請求項1に記載された通信方法。
【請求項６】
サービス機能の実行指示を得るために、ネットワークに接続されるネットワーク周辺デバイスが使用可能な通信方法であって、
前記ネットワークを介して情報処理装置から前記ネットワーク周辺デバイスへ送られてくる、前記ネットワーク周辺デバイスにサービス情報を要求するための第一のパケットを受信する第一の受信ステップと、
前記第一のパケットに応じて、要求されたサービス情報を含む第二のパケットを、前記ネットワークを介して前記ネットワーク周辺デバイスから前記情報処理装置へ送る送信ステップと、
前記ネットワークを介して前記情報処理装置から前記ネットワーク周辺デバイスへ送られてくる、前記サービス機能の実行指示を含む第三のパケットを受信する第二の受信ステップと、
前記第三のパケットに応じて、前記サービス機能を実行するステップとを有することを特徴とする通信方法。
【請求項７】
サービス機能の実行指示を得るために、ネットワークに接続されるネットワーク周辺デバイスが使用するコンピュータにより実行可能な処理ステップが記録されたコンピュータが読み取り可能な記録媒体であって、前記処理ステップは、
前記ネットワークを介して情報処理装置から前記ネットワーク周辺デバイスへ送られてくる、前記ネットワーク周辺デバイスにサービス情報を要求するための第一のパケットを受信する第一の受信ステップと、
前記第一のパケットに応じて、要求されたサービス情報を含む第二のパケットを、前記ネットワークを介して前記ネットワーク周辺デバイスから前記情報処理装置へ送る第一の送信ステップと、
前記ネットワークを介して前記情報処理装置から前記ネットワーク周辺デバイスへ送られてくる、前記サービス機能の実行指示を含む第三のパケットを受信する第二の受信ステップと、
前記第三のパケットに応じて、前記サービス機能を実行する実行ステップとを有することを特徴とする記録媒体。
【請求項８】
ネットワークに接続されたネットワーク周辺デバイスにサービスを提供させる情報処理装置であって、
前記ネットワークを介して、前記ネットワーク周辺デバイスにサービス情報を要求するための第一のパケットを前記ネットワーク周辺デバイスへ送る第一の送信手段と、
前記ネットワークを介して、前記ネットワーク周辺デバイスから送られてくる、要求したサービス情報を含む第二のパケットを受信する受信手段と、
前記ネットワークを介して、前記サービス機能の実行指示を含む第三のパケットを前記ネットワーク周辺デバイスへ送る第二の送信手段とを有することを特徴とする情報処理装置。
【請求項９】
サービス機能の実行指示を得るために、ネットワークに接続されるネットワーク周辺デバイスであって、
前記ネットワークを介して、前記ネットワーク周辺デバイスにサービス情報を要求するための第一のパケットを情報処理装置から受信する第一の受信手段と、
前記ネットワークを介して、要求されたサービス情報を含む第二のパケットを前記情報処理装置へ送信する送信手段と、
前記ネットワークを介して、前記サービス機能の実行指示を含む第三のパケットを前記情報処理装置から受信する第二の受信手段を有することを特徴とするネットワーク周辺デバイス。
【請求項１０】
さらに、前記第三のパケットに応じて、前記サービス機能を実行する処理手段を有することを特徴とする請求項9に記載されたネットワーク周辺デバイス。
【請求項１１】
前記ネットワーク周辺デバイスには複写機が含まれることを特徴とする請求項9または請求項10に記載されたネットワーク周辺デバイス。
【請求項１２】
前記サービス機能にはワイヤクリーニングまたは診断機能が含まれることを特徴とする請求項11に記載されたネットワーク周辺デバイス。
【請求項１３】
さらに、前記サービス機能の実行により作成された周辺サービス機能データに対応する第四のパケットを、前記ネットワークを介して前記ネットワーク周辺デバイスから前記情報処理装置へ送る手段を有することを特徴とする請求項9または請求項10に記載されたネットワーク周辺デバイス。
【請求項１４】
前記第二のパケットは前記サービス情報を含むHTMLファイルを含むことを特徴とする請求項9または請求項10に記載されたネットワーク周辺デバイス。
【請求項１５】
ネットワークに接続されるネットワーク周辺デバイスであって、
前記ネットワークを介して、前記ネットワーク周辺デバイスが提供するサービスまたはメンテナンスのための機能を示す情報を要求する第一の要求をブラウザから受信する第一の受信手段と、
前記ネットワークを介して、前記第一の要求に従い、前記サービスまたはメンテナンスのための機能を示す情報を前記ブラウザに対して送信する送信手段と、
前記ネットワークを介して、前記サービスまたはメンテナンスのための機能の実行指示を前記ブラウザから受信する第二の受信手段と、
前記実行指示に従い、前記サービスまたはメンテナンスのための機能を実行する実行手段とを有することを特徴とするネットワーク周辺デバイス。
【請求項１６】
前記サービスまたはメンテナンスのための機能は、ワイヤクリーニング、診断機能、ファームウェアのアップグレードおよび再起動のうちの少なくとも一つを含むことを特徴とする請求項15に記載されたネットワーク周辺デバイス。
【請求項１７】
さらに、前記ネットワークを介して、前記診断機能の実行結果に関する情報を前記ブラウザに対して送信する手段を有し、
前記実行手段は、前記実行指示に従い、前記診断機能を実行することを特徴とする請求項16に記載されたネットワーク周辺デバイス。
【請求項１８】
前記送信手段は、前記サービスまたはメンテナンスのための機能を示す情報を含むHTMLファイルを送信し、前記ブラウザは、前記HTMLファイルに従い、前記サービスまたはメンテナンスのための機能を示す情報を表示することを特徴とする請求項15から請求項17の何れかに記載されたネットワーク周辺デバイス。
【請求項１９】
前記ネットワーク周辺デバイスは複写機であることを特徴とする請求項15から請求項18の何れかに記載されたネットワーク周辺デバイス。